【手続補正書】
【提出日】平成27年12月21日(2015.12.21)
【手続補正１】
【補正対象書類名】特許請求の範囲
【補正対象項目名】全文
【補正方法】変更
【補正の内容】
【特許請求の範囲】
【請求項１】
コンテンツが分割されたセグメントに対して受信装置が取得要求するためのＵＲＬが示されたメタデータを前記受信装置に送信する送信装置であって、
前記メタデータの取得要求を前記受信装置から受信する受信手段と、
前記メタデータの第１の取得要求を受信した後に前記メタデータの第２の取得要求を前記受信手段が受信した場合、前記受信装置に送信済みの第１のセグメントより前の時刻に対応するセグメントに対して前記受信装置が取得要求するためのＵＲＬを示さず、前記第１の取得要求に応じて送信された第１のメタデータにＵＲＬが示された複数のセグメントのうち前記第１のセグメントよりも後の時刻に対応するセグメントに対して前記受信装置が取得要求するためのＵＲＬが示された第２のメタデータを前記第２の取得要求に対するレスポンスとして前記受信装置に送信する送信手段と
を有することを特徴とする送信装置。
【請求項２】
前記受信手段は、前記受信装置からセグメントの取得要求を受信し、
前記送信手段は、前記受信手段が受信したセグメントの取得要求に応じてセグメントを送信することを特徴とする請求項１に記載の送信装置。
【請求項３】
前記メタデータによって示されるセグメントの数が所定数以下であることを特徴とする請求項１に記載の送信装置。
【請求項４】
前記送信手段は、前記第１のメタデータに取得先としてのＵＲＬが示されるセグメントのいずれよりも後の時刻に対応するセグメントに対して前記受信装置が取得要求するためのＵＲＬが示された前記第２のメタデータを前記受信装置に送信することを特徴とする請求項１から３のいずれか１項に記載の送信装置。
【請求項５】
前記受信手段は、前記受信装置からセグメントの取得要求を受信し、
前記送信手段は、前記第１のメタデータが前記受信装置が取得可能なセグメントとして含む複数のセグメントのうち、前記受信装置が要求したセグメントに応じて決定されるセグメントを前記受信装置が取得可能なセグメントとして含む第２のメタデータを送信することを特徴とする請求項１に記載の送信装置。
【請求項６】
前記コンテンツを取得する取得手段と、
前記コンテンツから複数のセグメントを生成する第１の生成手段と、
前記生成手段が生成したセグメントを前記受信装置が取得可能であることを示すメタデータを生成する第２の生成手段と
を有することを特徴とする請求項１乃至５のいずれか１項に記載の送信装置。
【請求項７】
前記送信手段は、前記受信装置に送信済みの第１のセグメントに対して前記受信装置が取得要求するためのＵＲＬを含まない前記第２のメタデータを送信することを特徴とする請求項１に記載の送信装置。
【請求項８】
コンテンツが分割されたセグメントに対して受信装置が取得要求するためのＵＲＬが示されたメタデータを送信装置から受信する受信装置であって、
前記メタデータの取得要求を送信する送信手段と、
前記メタデータの第１の取得要求を送信した後に前記メタデータの第２の取得要求を送信した場合、前記送信装置から前記受信装置に送信済みの第１のセグメントより前の時刻に対応するセグメントに対して前記受信装置が取得要求するためのＵＲＬを示さず、前記第１の取得要求に応じて前記送信装置により送信された第１のメタデータにＵＲＬが示された複数のセグメントのうち前記第１のセグメントよりも後の時刻に対応するセグメントに対して前記受信装置が取得要求するためのＵＲＬが示された第２のメタデータを前記第２の取得要求に対するレスポンスとして前記送信装置から受信する受信手段と
を有することを特徴とする受信装置。
【請求項９】
前記メタデータに含まれるセグメントの数が所定数以下であることを特徴とする請求項８に記載の受信装置。
【請求項１０】
コンテンツが分割されたセグメントに対して受信装置が取得要求するためのＵＲＬが示されたメタデータを前記受信装置に送信する送信方法であって、
前記メタデータの取得要求を前記受信装置から受信する受信ステップと、
前記メタデータの第１の取得要求を受信した後に前記メタデータの第２の取得要求を前記受信ステップにおいて受信した場合、前記受信装置に送信済みの第１のセグメントより前の時刻に対応するセグメントに対して前記受信装置が取得要求するためのＵＲＬを示さず、前記第１の取得要求に応じて送信された第１のメタデータにＵＲＬが示された複数のセグメントのうち前記第１のセグメントよりも後の時刻に対応するセグメントに対して前記受信装置が取得要求するためのＵＲＬが示された第２のメタデータを前記第２の取得要求に対するレスポンスとして前記受信装置に送信する送信ステップと
を有することを特徴とする送信方法。
【請求項１１】
前記メタデータに含まれるセグメントの数が所定数以下であることを特徴とする請求項１０に記載の送信方法。
【請求項１２】
コンテンツが分割されたセグメントに対して受信装置が取得要求するためのＵＲＬが示されたコンテンツを構成する複数のセグメントデータのうち取得可能なセグメントデータを示すメタデータを送信装置から受信する受信方法であって、
前記メタデータの取得要求を送信する送信ステップと、
前記メタデータの第１の取得要求を送信した後に前記メタデータの第２の取得要求を送信した場合、前記送信装置から送信済みの第１のセグメントより前の時刻に対応するセグメントに対して前記受信装置が取得要求するためのＵＲＬを示さず、前記第１の取得要求に応じて前記送信装置により送信された第１のメタデータにＵＲＬが示された複数のセグメントのうち前記第１のセグメントよりも後の時刻に対応するセグメントに対して前記受信装置が取得要求するためのＵＲＬが示された第２のメタデータを前記第２の取得要求に対するレスポンスとして前記送信装置から受信する受信ステップと
を有することを特徴とする受信方法。
【請求項１３】
前記メタデータに含まれるセグメントの数が所定数以下であることを特徴とする請求項１２に記載の受信方法。
【請求項１４】
コンピュータを請求項１乃至７のいずれか１項に記載の送信装置の各手段として動作させるためのプログラム。
【請求項１５】
コンピュータを請求項８又は９のいずれか１項に記載の受信装置の各手段として動作させるためのプログラム。
【手続補正２】
【補正対象書類名】明細書
【補正対象項目名】００１５
【補正方法】変更
【補正の内容】
【００１５】
上記目的を達成するための一手段として、本発明の送信装置は以下の構成を備える。すなわち、コンテンツが分割されたセグメントに対して受信装置が取得要求するためのＵＲＬが示されたメタデータを前記受信装置に送信する送信装置であって、前記メタデータの取得要求を前記受信装置から受信する受信手段と、前記メタデータの第１の取得要求を受信した後に前記メタデータの第２の取得要求を前記受信手段が受信した場合、前記受信装置に送信済みの第１のセグメントより前の時刻に対応するセグメントに対して前記受信装置が取得要求するためのＵＲＬを示さず、前記第１の取得要求に応じて送信された第１のメタデータにＵＲＬが示された複数のセグメントのうち前記第１のセグメントよりも後の時刻に対応するセグメントに対して前記受信装置が取得要求するためのＵＲＬが示された第２のメタデータを前記第２の取得要求に対するレスポンスとして前記受信装置に送信する送信手段とを備える。